(57)【要約】【課題】光硬化型ＦＲＰシートを繰り出してコンクリート表面へ貼り付ける補修補強作業を楽に省力化して行え、１人の作業者であっても容易且つ迅速に貼り付け作業を行うことができ、一定の品質と施工精度を期待できるコンクリート構造物の補修・補強作業用補助装置および同装置を使用した補修・補強方法を提供する。【解決手段】コンクリート構造物７の補修必要箇所の表面に沿って移動させる走行架台２の主軸２０上に、主軸２０を中心として回転可能に構成されたシートロール支持台３が設置されている。シートロール支持台３の一端部に、光硬化型繊維強化樹脂シートロール５を取り付け又は取り外し可能なシートロール支持部材４が設置されている。シートロール支持部材４に、光硬化型繊維強化樹脂シートロール５から繰り出された光硬化型繊維強化樹脂シート５０の繰り出しを案内するシート案内部材６が取り付けられている。【選択図】図１
2013221253.tif 000002
【特許請求の範囲】
【請求項１】
紫外線を受けると硬化し接着する光硬化型繊維強化樹脂シートを、コンクリート構造物の補修必要箇所の表面へ向かって繰り出す補修・補強作業用補助装置であって、
コンクリート構造物の補修必要箇所の表面に沿って移動させる走行架台が、主軸と、同主軸の少なくとも両端部を略水平に支持する複数の台車とで構成され、前記走行架台の主軸は台車上の支持部材により上下方向への高さ調整が可能に支持されており、
前記主軸上に、同主軸を中心として回転可能に構成されたシートロール支持台が設置されており、
前記シートロール支持台に、前記主軸を中心にシートロール支持台を回転させる回転装置が設置され、前記シートロール支持台の一端部に、ロール状に巻いた光硬化型繊維強化樹脂シートロールを取り付け又は取り外し可能なシートロール支持部材が設置されており、
前記シートロール支持部材に、光硬化型繊維強化樹脂シートロールから繰り出された光硬化型繊維強化樹脂シートの繰り出しを案内するシート案内部材が取り付けられて成り、
前記走行架台はコンクリート構造物の補修必要箇所へ移動させて主軸がコンクリート表面と略平行な配置に位置決めし、前記回転装置によりシートロール支持台及びシートロール支持部材を主軸を中心に回転させて光硬化型繊維強化樹脂シートを補修必要箇所の表面に向かって略平行に相対峙するように繰り出し、同光硬化型繊維強化樹脂シートをシート案内部材で案内させて補修必要箇所の表面へ貼り付ける補修、補強の作業に供せしめることを特徴とする、コンクリート構造物の補修・補強作業用補助装置。
【請求項２】
主軸上に回転可能に設置されたシートロール支持台は、前記主軸の長手方向へ移動可能に、且つ使用位置へ固定可能に構成されていることを特徴とする、請求項１に記載したコンクリート構造物の補修・補強作業用補助装置。
【請求項３】
走行架台を構成する主軸は、その両端が台車上の支持部材に継手部材を介して支持され、前記継手部材を支持部材に対して上下方向へ移動させることにより、上下方向への高さを調節可能に構成されており、
前記支持部材は主軸の長さ方向へ支持位置を調節可能に構成されていることを特徴とする、請求項１又は２に記載したコンクリート構造物の補修・補強作業用補助装置。
【請求項４】
シートロール支持部材は、シートロール支持台の一端部にボルトで取り付けられて支持される軸受本体部と、前記軸受本体部から取り付け又は取り外し可能に構成された光硬化型繊維強化樹脂シートロールを取り付ける軸部とで構成されていることを特徴とする、請求項１〜３のいずれか一に記載したコンクリート構造物の補修・補強作業用補助装置。
【請求項５】
シートロール支持部材に取り付けたシート案内部材は、補修必要箇所に向かって突き出し又は後退が可能に、且つ光硬化型繊維強化樹脂シートロールの中心と同芯回転を可能に構成されていることを特徴とする、請求項１〜４のいずれか一に記載したコンクリート構造物の補修・補強作業用補助装置。
【請求項６】
上記請求項１〜５に記載した発明に係るコンクリート構造物の補修、補強作業用補助装置を使用して実施するコンクリート構造物の補修、補強方法であって、
走行架台を走行させてコンクリート構造物の補修、補強箇所へ移動させ、コンクリート構造物の補修、補強箇所の表面と主軸が略平行な配置に位置決めする段階と、
シートロール支持部材へ光硬化型繊維強化樹脂シートロールを取り付け、同光硬化型繊維強化樹脂シートロールから光硬化型繊維強化樹脂シートを補修必要箇所の表面へ向かって略平行に相対峙するように繰り出し、シート案内部材を経由して進める段階と、
前記補修必要箇所の表面へ前記光硬化型繊維強化樹脂シートの貼り付けを開始して、回転装置によりシートロール支持台及びシートロール支持部材を一定の速度で回転させつつ、該光硬化型繊維強化樹脂シートをシート案内部材で案内させて補修必要箇所の表面へ貼り付けて密着させる作業を進める段階と、
前記貼り付け工程を終端まで遂行した段階で、一旦同光硬化型繊維強化樹脂シートを止めて切断し縁切りを行う段階と、
前記のように施工して補修必要箇所の表面へ密着させた光硬化型繊維強化樹脂シートへ紫外線を照射して接着する段階と、
以下コンクリート構造物の補修必要箇所の表面へ光硬化型繊維強化樹脂シートを貼り付ける同様の工程を繰り返すことを特徴とする、コンクリート構造物の補修、補強方法。
【請求項７】
上記請求項１〜５に記載した発明に係るコンクリート構造物の補修、補強作業用補助装置を使用して、光硬化型繊維強化樹脂シートを補修必要箇所へ繰り出し、該光硬化型繊維強化樹脂シートをシート案内部材で案内させて貼り付ける工程を終端まで行って同光硬化型繊維強化樹脂シートを切断して縁切りを行い、対面する箇所への貼り付けを終了すると、走行架台を固定したままの状態で、シートロール支持台を主軸の長手方向へ１ピッチ分移動させて次順の補修必要箇所への移動を行い、その位置でも前記同様に光硬化型繊維強化樹脂シートを補修必要箇所の表面へ貼り付けて密着させる工程を主軸の長さ範囲内で繰り返すこと、及び前記範囲を超える場合は、走行架台を次順の施工場所へ移動させて補修、補強作業を繰り返し進めることを特徴とする、請求項６に記載したコンクリート構造物の補修、補強方法。
【発明の詳細な説明】
【技術分野】
【０００１】
この発明は、紫外線を受けると硬化し接着する光硬化型繊維強化樹脂シート（以下、光硬化型ＦＲＰシートと云う場合がある。）を、コンクリート構造物の補修必要箇所の表面へ貼り付ける補修、補強作業に際し、同表面に向かって前記光硬化型ＦＲＰシートを繰り出して補修、補強の作業を補助する装置および同装置を使用して実施する補修・補強方法の技術分野に属し、更に詳しく云えば、光硬化型ＦＲＰシートを繰り出しコンクリート表面へ貼り付ける補修、補強作業を楽に省力化して行え、１人の作業者であっても容易且つ迅速に行うことができ、一定の品質と施工精度を期待できるコンクリート構造物の補修・補強作業用補助装置および同装置を使用した補修・補強方法に関する。
【背景技術】
【０００２】
トンネル等のコンクリート構造物は、その表面が経年劣化が原因で剥離やひび割れ等を起こす問題がある。そのため、前記のようなコンクリート構造物の補修必要箇所の表面へ紫外線を受けると硬化し接着する光硬化型ＦＲＰシート（例えば厚さが１ｍｍ程度）を貼り付けて接着し補修、補強の作業に供せしめる装置および方法が、例えば下記特許文献１〜３に開示されて一般に知られており、既に実施されている。
【０００３】
例えば下記特許文献１は、トンネル内の底面上をトンネル軸方向へ走行する走行車輌上にシート貼付装置と紫外線照射装置とが設置された構成である。シート貼付装置が光硬化型ＦＲＰシートをコンクリート表面へ密着させ、１作業ステップ分だけ走行車輌上を移動すると、紫外線照射装置が光硬化型ＦＲＰシートの直下位置へ進み、光硬化型ＦＲＰシート紫外線を照射して接着させる。
【０００４】
下記特許文献２は、トンネルの底面上を移動可能な架台上に設置された支柱の上端にブラケットが設置され、同ブラケットの上端に設けられた軸継手へ軸部材が取り付けられ、該軸部材へ固定された基枠へ主枠が取り付けられ、該主枠の上端へ設置された揺動アームの端部間に光硬化型ＦＲＰシートへ圧力を加えて補修必要箇所へ密着させて接着する複数の押圧ローラーがトンネルの軸方向に向けて設置された構成である。
【０００５】
また下記特許文献３は、光硬化型ＦＲＰシートをコンクリート構造物の補修必要箇所へ貼り付けて接着させる方法である。
以下、補修、補強手順を簡潔に説明する。
先ず、コンクリート構造物の表面を調査し、開口ひび割れや横断面目地等の補修必要箇所の有無を確認することから始める。調査は、作業者の目視確認の他、例えば赤外線センサー等を使用してより効果的に行うこともできる。
次に、調査したコンクリート構造物の補修必要箇所の表面をブラシ等で掃除して汚れや異物等を取り除く。コンクリート表面に汚れ、異物等が付着していると、光硬化型ＦＲＰシートの接着強度が低下するからである。
次に、光硬化型ＦＲＰシートを必要な大きさに裁断し、該裁断した光硬化型ＦＲＰシートが捩れたり弛んだりしないように作業者によって引っ張りを与えて安定させた状態を保ちつつ、該光硬化型ＦＲＰシートをコンクリート構造物の補修必要箇所へ貼り付け、例えばローラーや木槌で前記光硬化型ＦＲＰシートに圧力を加えてコンクリート表面になじませて圧着させる。なお、圧力を加えると共にバイブレータを併用して前記光硬化型ＦＲＰシートへ振動を加えるとコンクリート表面へより効果的に密着させることができる。
最後に、前記コンクリート表面へ圧着させた光硬化型ＦＲＰシートへ紫外線照射装置を使用して前記光硬化型ＦＲＰシートへ紫外線を照射させると、光硬化型ＦＲＰシートが硬化して前記コンクリート表面へ接着できる。
【先行技術文献】
【特許文献】
【０００６】
【特許文献１】特開２０１１−１１７１２９号公報
【特許文献２】特開２０００−１３６６９６号公報
【特許文献２】特開２００５−１２０８２０号公報
【発明の概要】
【発明が解決しようとする課題】
【０００７】
上記特許文献１及び２に開示された発明は、トンネル等のコンクリート構造物の補修必要箇所へ光硬化型ＦＲＰシートを貼り付けて接着させる装置であるが、その構成が大掛かりなので多くの作業者を必要とし、人件費が非常にかかる問題がある。
【０００８】
特許文献３に開示された補修、補強方法は、光硬化型ＦＲＰシートが補修必要箇所のコンクリート表面へ貼り付ける前に捩れたり弛んだりしないように、同シートを安定させた状態に保つ必要があるので、シートを貼り付ける作業者の他に、シートに引っ張りを与える作業者や同シートをロール状に巻いたシートロールを支える作業者等、多くの作業者を必要とする。今後、社会基盤設備における補修補強工事が増加すると考えられ、上記方法で行われる補修、補強作業のように多くの作業者を必要とする方法では、コストが嵩むことが問題とされており、コスト削減が大きな課題となっている。また、施工精度が作業者の技術に関わるため、多くの作業者が手作業で光硬化型ＦＲＰシートの貼り付ける作業を行うと、仕上がりにばらつきが発生し、一定の品質と施工精度を期待できない。
【０００９】
本発明の目的は、光硬化型ＦＲＰシートをコンクリート構造物の補修必要箇所の表面へ向かって略平行に相対峙するように繰り出し、不用意に捩れたり弛んだりしないように引っ張を与えつつ、同光硬化型ＦＲＰシートの繰り出しを案内することにより、光硬化型ＦＲＰシートを補修必要箇所の表面へ貼り付ける補修、補強作業を楽に省力化して精確に行え、少数の作業者、特には１人の作業者であっても容易且つ迅速に行うことができ、一定の品質と施工精度を期待できる、コンクリート構造物の補修・補強作業用補助装置および同装置を使用した補修・補強方法を提供することである。
【課題を解決するための手段】
【００１０】
上記した従来技術の課題を解決する手段として、請求項１に記載した発明に係るコンクリート構造物の補修・補強作業用補助装置は、
紫外線を受けると硬化し接着する光硬化型繊維強化樹脂シート５０を、コンクリート構造物７の補修必要箇所の表面へ向かって繰り出す補修・補強作業用補助装置１であって、
コンクリート構造物７の補修必要箇所の表面に沿って移動させる走行架台２が、主軸２０と、同主軸２０の少なくとも両端部を略水平に支持する複数の台車２１、２１とで構成され、前記走行架台２の主軸２０は台車２１上の支持部材２２により上下方向への高さ調整が可能に支持されており、
前記主軸２０上に、同主軸を２０中心として回転可能に構成されたシートロール支持台３が設置されており、
前記シートロール支持台３に、前記主軸２０を中心にシートロール支持台３を回転させる回転装置３４が設置され、前記シートロール支持台３の一端部に、ロール状に巻いた光硬化型繊維強化樹脂シートロール５を取り付け又は取り外し可能なシートロール支持部材４が設置されており、
前記シートロール支持部材４に、光硬化型繊維強化樹脂シートロール５から繰り出された光硬化型繊維強化樹脂シート５０の繰り出しを案内するシート案内部材６が取り付けられて成り、
前記走行架台２はコンクリート構造物７の補修必要箇所へ移動させて主軸２０がコンクリート表面と略平行な配置に位置決めし、前記回転装置３４によりシートロール支持台３及びシートロール支持部材４を主軸２０を中心に回転させて光硬化型繊維強化樹脂シート５０を補修必要箇所の表面に向かって略平行に相対峙するように繰り出し、同光硬化型ＦＲＰシート５０をシート案内部材６で案内させて補修必要箇所の表面へ貼り付ける補修、補強の作業に供せしめることを特徴とする。
【００１１】
請求項２に記載した発明は、請求項１に記載したコンクリート構造物の補修、補強作業用補助装置において、
主軸２０上に回転可能に設置されたシートロール支持台３は、前記主軸２０の長手方向へ移動可能に、且つ使用位置へ固定可能に構成されていることを特徴とする。
【００１２】
請求項３に記載した発明は、請求項１又は２に記載したコンクリート構造物の補修、補強作業用補助装置において、
走行架台２を構成する主軸２０は、その両端が台車２１上の支持部材２２に継手部材２３を介して支持され、前記継手部材２３を支持部材２２に対して上下方向へ移動させることにより、上下方向への高さを調節可能に構成されており、
前記支持部材２２は主軸２０の長さ方向へ支持位置を調節可能に構成されていることを特徴とする。
【００１３】
請求項４に記載した発明は、請求項１〜３のいずれか一に記載したコンクリート構造物の補修、補強作業用補助装置において、
シートロール支持部材４は、シートロール支持台３の一端部にボルト３ａで取り付けられて支持される軸受本体部４０と、前記軸受本体部４０から取り付け又は取り外し可能に構成された光硬化型繊維強化樹脂シートロール５を取り付ける軸部４１とで構成されていることを特徴とする。
【００１４】
請求項５に記載した発明は、請求項１〜４のいずれか一に記載したコンクリート構造物の補修、補強作業用補助装置において、
シートロール支持部材４に取り付けたシート案内部材６は、補修必要箇所に向かって突き出し又は後退が可能に、且つ光硬化型繊維強化樹脂シートロール５の中心と同芯回転を可能に構成されていることを特徴とする。
【００１５】
請求項６に記載した発明に係るコンクリート構造物の補修、補強方法は、
上記請求項１〜５に記載した発明に係るコンクリート構造物の補修、補強作業用補助装置を使用して実施するコンクリート構造物の補修、補強方法であって、
走行架台２を走行させてコンクリート構造物７の補修、補強箇所へ移動させ、コンクリート構造物７の補修、補強箇所の表面と主軸が略平行な配置に位置決めする段階と、
シートロール支持部材４へ光硬化型繊維強化樹脂シートロール５を取り付け、同光硬化型繊維強化樹脂シートロール５から光硬化型繊維強化樹脂シート５０を補修必要箇所の表面へ向かって略平行に相対峙するように繰り出し、シート案内部材６を経由して進める段階と、
前記補修必要箇所の表面へ前記光硬化型繊維強化樹脂シートの貼り付けを開始して、回転装置３４によりシートロール支持台３及びシートロール支持部材４を一定の速度で回転させつつ、該光硬化型繊維強化樹脂シート５０をシート案内部材６で案内させて補修必要箇所の表面へ貼り付けて密着させる作業を進める段階と、
前記貼り付け工程を終端まで遂行した段階で、一旦同光硬化型繊維強化樹脂シート５０を止めて切断し縁切りを行う段階と、
前記のように施工して補修必要箇所の表面へ密着させた光硬化型繊維強化樹脂シート５０へ紫外線を照射して接着する段階と、
以下コンクリート構造物７の補修必要箇所の表面へ貼る同様の工程を繰り返すことを特徴とする。
【００１６】
請求項７に記載した発明は、請求項６に記載したコンクリート構造物の補修、補強方法において、
上記請求項１〜５に記載した発明に係るコンクリート構造物の補修、補強作業用補助装置を使用して、光硬化型繊維強化樹脂シート５０を補修必要箇所へ繰り出し、該光硬化型繊維強化樹脂シート５０をシート案内部材６で案内させて貼り付ける工程を終端まで行って同光硬化型繊維強化樹脂シート５０を切断して縁切りを行い、対面する箇所への貼り付けを終了すると、走行架台２を固定したままの状態で、シートロール支持台３を主軸２０の長手方向へ１ピッチ分移動させて次順の補修必要箇所への移動を行い、その位置でも前記同様に光硬化型繊維強化樹脂シート５０を補修必要箇所の表面へ貼り付けて密着させる工程を主軸２０の長さ範囲内で繰り返すこと、及び前記範囲を超える場合は、走行架台２を次順の施工場所へ移動させて補修、補強作業を繰り返し進めることを特徴とする。
【発明の効果】
【００１７】
請求項１〜５に記載した発明に係るコンクリート構造物の補修・補強作業用補助装置は、回転装置３４によって主軸２０を中心に回転するシートロール支持台３により、シートロール支持部材４に取り付けられた光硬化型ＦＲＰシートロール５からコンクリート構造物７の補修必要箇所の表面へ向かって略平行に相対峙するように光硬化型ＦＲＰシート５０を繰り出すので、繰り出された光硬化型ＦＲＰシート５０は、作業者が若干手で押さえ付ける補助作業を加えることでコンクリート構造物７の補修必要箇所の表面へそのままぴったりと貼り付けることができ、不用意に捩れたり弛んだりしない。つまり、光硬化型ＦＲＰシート５０をシート案内部材６で支持して引っ張りを与えつつ、同シート５０の繰り出しを案内させることによって、光硬化型ＦＲＰシート５０を補修必要箇所の表面へ貼り付ける補修、補強作業を楽に省力化して精確に行える。
【００１８】
上記請求項１〜５に記載した補修、補強作業用補助装置を使用して請求項６及び７に記載した発明に係る補修・補強方法を実施すると、作業者が１人で走行架台２をコンクリート構造物７の内部へ走行させて、コンクリート構造物７の表面と主軸２０が略平行な配置となるように位置決めし、光硬化型ＦＲＰシート５０を補修必要箇所の表面へ向かって略平行に相対峙するように繰り出させ、補修必要箇所の表面への貼り付けを開始して、回転装置４でシートロール支持台３及びシートロール支持部材４を一定の速度で回転させつつ、該光硬化型ＦＲＰシート５０をシート案内部材６で支持させて同シート５０の繰り出しを案内し、後は１人の作業者が若干手で押さえ付ける補助作業を加えるだけで、光硬化型ＦＲＰシート５０を補修必要箇所の表面へそのままぴったりと貼り付けて密着させることができる。つまり、光硬化型ＦＲＰシート５０を補修必要箇所の表面へ貼り付ける補修、補強作業を楽に省力化して精確に行えるので、光硬化型ＦＲＰシートロール５を支える作業者や光硬化型ＦＲＰシート５０に引っ張りを与えて支持する作業者等が不要であり、コンクリート構造物７の補修必要箇所へ光硬化型ＦＲＰシート５０を貼り付けて接着する一連の作業を少ない作業者、特には１人の作業者であっても容易且つ迅速に行うことができる。
また、この補修、補強作業用補助装置１を使用すると、上記したように、光硬化型ＦＲＰシート５０を補修必要箇所の表面へ向かって略平行に相対峙するように繰り出させ、該光硬化型ＦＲＰシート５０が不用意に捩れたり弛んだりしないように、シート案内部材６で支持させて同シート５０の繰り出しを案内し、後は作業者が若干手で押さえ付ける補助作業を加えて光硬化型ＦＲＰシート５０を補修必要箇所の表面へ貼り付けるだけなので、作業者の技術力が熟練である否かを問わず、一定の品質と施工精度を期待できる。
【図面の簡単な説明】
【００１９】
【図１】本発明に係る補修、補強作業用補助装置の全体を示した斜視図である。
【図２】本発明に係る補修、補強作業用補助装置をコンクリート構造物の補修必要箇所へ設置した状態を示した正面図である。
【図３】本発明に係る補修、補強作業用補助装置のシートロール支持台及びシートロール支持部材を拡大して示した斜視図である。
【図４】シートロール支持部材を分解して示した斜視図である。
【図５】（ａ）、（ｂ）は本発明に係る補修、補強作業用補助装置を使用して補修必要箇所の補修、補強作業を行う工程を示した説明図である。
【発明を実施するための形態】
【００２０】
本発明に係るコンクリート構造物の補修、補強作業用補助装置は、コンクリート構造物７の補修必要箇所の表面に沿って移動させる走行架台２が、主軸２０と、同主軸２０の少なくとも両端部を略水平に支持する複数の台車２１とで構成され、走行架台２の主軸２０は台車２１上の支持部材２２により上下方向への高さ調整が可能に支持されている。主軸２０上に、主軸２０を中心として回転可能に構成されたシートロール支持台３が設置されている。シートロール支持台３に、主軸２０を中心にシートロール支持台３を回転させる回転装置３４が設置され、シートロール支持台３の一端部に、ロール状に巻いた光硬化型ＦＲＰシートロール５を取り付け又は取り外し可能なシートロール支持部材４が設置されている。シートロール支持部材４に、光硬化型ＦＲＰシートロール５から繰り出された光硬化型ＦＲＰシート５０の繰り出しを案内するシート案内部材６が取り付けられている。
走行架台２はコンクリート構造物７の補修必要箇所へ移動させて主軸２０がコンクリート表面と略平行な配置に位置決めし、回転装置３４によりシートロール支持台３及びシートロール支持部材４を主軸２０を中心に回転させて光硬化型ＦＲＰシート５０を補修必要箇所の表面に向かって略平行に相対峙するように繰り出し、光硬化型ＦＲＰシート５０をシート案内部材６で案内させて補修必要箇所の表面へ貼り付ける補修、補強の作業に供せしめる。
【００２１】
本発明に係るコンクリート構造物の補修、補強方法は、走行架台２を走行させてコンクリート構造物７の補修、補強箇所へ移動させ、コンクリート構造物７の補修、補強箇所の表面と主軸が略平行な配置に位置決めする。シートロール支持部材４へ光硬化型ＦＲＰシートロール５を取り付け、光硬化型ＦＲＰシートロール５から光硬化型ＦＲＰシート５０を補修必要箇所の表面へ向かって略平行に相対峙するように繰り出し、シート案内部材６を経由して進める。補修必要箇所の表面へ光硬化型ＦＲＰシート５０の貼り付けを開始して、回転装置３４によりシートロール支持台３及びシートロール支持部材４を一定の速度で回転させつつ、該光硬化型ＦＲＰシート５０をシート案内部材６で案内させて補修必要箇所の表面へ貼り付けて密着させる作業を進める。貼り付け工程を終端まで遂行した段階で、一旦同光硬化型ＦＲＰシート５０を止めて切断し縁切りを行う。前記のように施工して補修必要箇所の表面へ密着させた光硬化型ＦＲＰシート５０へ紫外線を照射して接着する。以下コンクリート構造物７の補修必要箇所の表面へ貼る同様の工程を繰り返す。
【実施例１】
【００２２】
以下に、本発明に係るコンクリート構造物の補修、補強作業用補助装置及び同装置を使用して実施する補修・補強方法を図１〜図５に示した実施例に基づいて説明する。
図１〜５に示した補修、補強作業用補助装置１は、管渠、床板或いはトンネル等のコンクリート構造物７の補修必要箇所へ光硬化型ＦＲＰシート５０を貼り付けて接着させる一連の作業を少ない作業者、特には１人の作業者が行う場合に、その作業者を補助するために使用する装置であって、コンクリート構造物７の補修必要箇所へ、走行架台２を作業者自ら押して移動させて固定した後、光硬化型ＦＲＰシート５０を前記補修必要箇所の表面へ向かって略平行に相対峙するように繰り出す構成である。
【００２３】
コンクリート構造物７の補修必要箇所の表面に沿って移動させる上記走行架台２は、図１及び図２に示したように、主軸２０と、同主軸２０の両端部を略水平に支持する２つ台車２１、２１とで構成されている。
前記台車２１には、同台車２１上に３０ｃｍ程度の間隔をあけて垂直に立設する２つ支持部材２２、２２が設けられており、前記主軸２０は両端部が支持部材２２、２２に共通に取り付けられた継手部材２３で連結され、固定ボルト２３ａを締め付けることにより、前記支持部材２２に支持されている。前記主軸２０は、継手部材２３を支持部材２２に対して上下方向へ移動させることにより、上下方向の高さを調整することができる。
前記支持部材２２は、前記固定ボルト２３ａを緩めることで、前記主軸２０の長さ方向に支持位置を自在に調節することができる。適当な支持位置に設置した後は、再び固定ボルト２３ａを締め付けることにより、しっかりとその位置を固定することができる。即ち、前記支持部材２２の支持位置を調整することで、後述するシートロール支持台３の移動範囲を広くしたり狭くすることができる。
また、前記主軸２０は、継手部材２３を支持部材２２に対して上下方向へ移動させることにより、上下方向への高さを自在に調整することができる。
【００２４】
上記主軸２０は、一辺が３８ｍｍ程度のアルミニウムで成る角材であって、長さが３．７ｍ程度で構成されている。但し、前記主軸２０は、例えば丸材等でも実施でき、前記寸法及び材質は上記形状及び寸法に限定されない。
【００２５】
前記継手部材２３の外側の側面には、ヒンジ機構２４ａを介して取り付けられた取っ手２４が設けられている。前記取っ手２４は、補修、補強作業用補助装置１を所定の箇所へ持ち運ぶ際に水平方向へ延ばして使用し、不要なときには９０度下方へ屈曲させて折り畳み、補修、補強を行う作業者の邪魔にならないようにできる。
【００２６】
上記走行架台２を構成する各台車２１の両端部には、コンクリート構造物７のコンクリート表面へ圧接させて補修、補強作業用補助装置１を固定させる弾性体の固定部材２５が設けられている。この固定部材２５は、調整部材２５ａを手動で回転させることで突き出し又は後退させることができる。前記補修、補強作業用補助装置１は、突き出した前記固定部材２５で、コンクリート構造物７へしっかりと固定できるので、作業中にずれ動くことがなく、作業者は安全で良好に作業を行うことができる。なお、前記固定部材２５は、コンクリート構造物７の大きさ、形状に応じて適宜使用するものである。
また、前記台車２１の中央位置には、コンクリート構造物７が図５に示す管渠である場合に、該管渠７の底面に引いた中心線と、側面方向から見た補修、補強作業用補助装置１の中心とを合わせるセンターライン確認金具２６が設けられている。
【００２７】
上記走行架台２の主軸２０上には、同主軸２０を中心として回転可能に、且つ同主軸２０の長手方向へ移動可能に構成されたシートロール支持台３が設置されている。
図３に拡大して示すように、前記シートロール支持台３は縦長形状を成し、その上部を貫通する主軸２０により支持されている。前記シートロール支持台３の一側の上部（図３では左側）には主軸２０を支持する滑り軸受３０と、通電のためのスリップリング３５が設けられている。前記シートロール支持台３は、前記主軸２０上の長手方向に移動可能に構成されており、該シートロール支持台３を使用の位置へ移動させた後、前記滑り軸受３０の固定ボルト３０ａを締め付けることで、前記その位置へ固定することができる。
前記シートロール支持台３の他側（図３では右側）の上部には、上部スプロケット３１が設けられており、前記上部スプロケット３１と同じ側面の下部に、前記上部スプロケット３１とチェーン３３で連結された下部スプロケット３２が設けられている。
前記シートロール支持台３の下部の他側（図３では左側）には、回転装置であるモーター３４が設置されており、前記モーター３４の駆動により下部スプロケット３２を回転させると、回転力がチェーン３３を通じて上部スプロケット３１に伝達され、シートロール支持台３が主軸２０を中心に回転する構成である。
因みに、シートロール支持台３の回転速度は、作業者の作業速度に合わせた速度とし、一例として０．１２〜０．１３ｒｐｍ程度である。
なお、図１〜３において破線で示した符号３６は、前記シートロール支持台３の上下スプロケット３１、３２を設置した側面に設置されるカバー材である。
【００２８】
前記シートロール支持台３の一端部にはロール状の光硬化型ＦＲＰシート５０を取り付け又は取り外し可能に構成したシートロール支持部材４が設置されている。
前記シートロール支持部材４は、図３及び４に拡大して示したように、前記シートロール支持台３の一端部へボルト３ａで取り付けられる軸受本体部４０と、該軸受本体部４０へ取り付け又は取り外し可能に構成した軸部４１とで構成されている。前記光硬化型ＦＲＰシートロール５は、前記軸部４１へ取り付けられている。
前記シートロール支持部材４は、シートロール支持台３へ固定するボルト３ａを緩めることで左右方向へ３６０度回転させることができ、前記軸部４１へ取り付けた光硬化型ＦＲＰシートロール５を適当な角度に設定することができる。前記緩めたボルト３ａを再び締め付けることで、回転させたシートロール支持部材４の位置をシートロール支持台３へしっかりと固定することができる。
【００２９】
上記軸受本体部４０は、図４に示したように、底板の長さが異なる２つのＬ形部材４０ａ、４０ｂを組み合わせた構成であり、大形のＬ形部材４０ａの上面へ小形のＬ形部材４０ｂを載置させ、該２つのＬ形部材４０ａ、４０ｂの底板をボルト４０ｃで連結して構成される。前記ボルト４０ｃを取り外すことにより、小形のＬ形部材４０ｂを大形のＬ形部材４０ａから取り外すことができ、軸部４１をシートロール支持部材４から取り付け又は取り外すことができる。
前記軸部４１の中間部には、同軸部４１へ取り付けた光硬化型ＦＲＰシートロール５が作業中にズレ動いたりしないように、前記シートロールの芯の内側から圧接させて、前記光硬化型ＦＲＰシートロール５の位置をしっかりと固定する固定部材４１ａが設けられている。図４に示したように、前記光硬化型ＦＲＰシートロール５を取り付けた軸部４１は、同軸部４１の両端を軸受本体部４０の側面の軸受孔４１ｄ、４１ｄへ通して、ナット４１ｂ、４１ｃで締め付けることにより、前記軸受本体部４０へ取り付けられる。
【００３０】
前記シートロール支持部材４の軸受本体部４０の側面には、図１〜３に示したように、光硬化型ＦＲＰシートロール５から補修必要箇所へ向かって略平行に相対峙するように繰り出した光硬化型ＦＲＰシート５０が、不用意に捩れたり弛んだりしないように引っ張りを与えて支えつつ、同光硬化型ＦＲＰシート５０の繰り出しを案内するコ字形状のシート案内部材６が取り付けられている。
前記シート案内部材６は、軸受本体部４０の側面から外方へ突き出した連結継手６０へ取り付けられており、該連結継手６０のボルト６１を緩めて長さを調節することで補修必要箇所に向かって突き出し又は後退が可能である。更に、前記シート案内部材６は連結継手６０と共に、前記光硬化型ＦＲＰシートロール５の中心と同芯回転が可能である。
補修必要箇所に向かって適当な長さ及び角度に設定したシート案内部材６は、前記連結継手６０のボルト６１を固定することにより固定できる。
なお、図示することは省略したが、前記シート案内部材６の形状は図示した限りではなく、例えばＬ字形状とした構成でも実施することができる。
また、上記シートロール支持部材４の側面には、シートロール支持台３及びシートロール支持部材４の旋回規制ブレーキ８が設けられている。但し、前記旋回規制ブレーキ８は、設けない場合もある。
【実施例２】
【００３１】
次に、上述した補修・補強作業用補助装置１を使用して実施するコンクリート構造物の補修・補強方法について説明する。本発明に係る補修、補強方法は、実施例１で説明した補修、補強作業用補助装置１をコンクリート構造物７の補修必要箇所へ搬入する作業から同補助装置１を操作して、コンクリート構造物７の補修必要箇所へ光硬化型ＦＲＰシート５０を貼り付けて接着する一連の作業を少ない作業者、特には１人の作業者で行う構成である。
【００３２】
図５（ａ）、（ｂ）に示したコンクリート構造物７は管渠（ボックスカルバート）であり、補修必要箇所を上記した補修・補強作業用補助装置１を使用して補修・補強を行う実施例を示している。
先ず、コンクリート表面を管渠７内部から調査し、開口ひび割れや横断面目地等の補修必要箇所の有無を確認する。調査は、作業者の目視確認の他、例えば赤外線センサー等を使用してより効果的に行うこともできる。
前記確認した補修必要箇所へ作業者自ら走行架台２を押して移動させる。なお、前記走行架台２の移動は、管渠７の底面上に同管渠７の軸方向に沿って台車用レールを敷設し、該台車用レール上を走行させることにより行うこともできる。
【００３３】
上記走行架台２を管渠７の補修必要箇所へ移動させた後、台車２１に設けられた固定部材２５を管渠７のコンクリート表面へ圧接させ、前記走行架台２を管渠７の表面と主軸２０が略平行な配置となるように位置決めして固定する。なお、前記固定部材２５は、調整部材２５ａを回転させることにより、突き出し又は後退させることができる。
【００３４】
次に、上記シートロール支持部材４へ光硬化型ＦＲＰシートロール５を取り付け、上記継手部材２３を支持部材２２に対して上下方向へ移動させて、前記走行架台２を構成する主軸２０の高さを調節することで、上記シートロール支持部材４へ取り付けた光硬化型ＦＲＰシートロール５を前記補修必要箇所の表面と対峙させる。
なお、前記光硬化型ＦＲＰシートロール５と補修必要箇所との距離は、例えば７〜８ｃｍ程度が好ましい。
また、前記光硬化型ＦＲＰシートロール５は、走行架台２を管渠７の内部へ移動させる前に予めシートロール支持部材４へ取り付けても良く、要するに施工状況に合わせて適宜取り付ける。
【００３５】
上記シートロール支持台３は、固定ボルト３０ａを緩めることで、前記主軸２０の長手方向へ移動させることができ、補修必要箇所のコンクリート表面に対する光硬化型ＦＲＰシートロール５の位置を調整することができる。
また、シートロール支持台３の移動範囲は、左右の支持部材２２、２２間における主軸２０の長さ範囲内となるが、その範囲は、前記支持部材２２の支持位置を主軸２０の長さ方向において調節することで広くしたり或いは狭くしたりすることができる。
更に、前記光硬化型ＦＲＰシートロール５の向きは、シートロール支持台３とシートロール支持部材４とを固定するボルト３ａを緩めて同シートロール支持部材４を適当な角度へ回転させて調整することができる。
【００３６】
次に、図５（ａ）に示すように、上記光硬化型ＦＲＰシートロール５から光硬化型ＦＲＰシート５０を補修必要箇所の表面へ向かって略平行に相対峙するように繰り出し、シート案内部材６を経由して補修、補強作業を進める。なお、前記シート案内部材６は、補修必要箇所の表面に対して作業者が作業し易い長さ及び角度に適宜調整する。
前記補修必要箇所の表面への貼り付けを開始して、上記回転装置３４でシートロール支持台３及びシートロール支持部材４を一定の速度（０．１２〜０．１３ｒｐｍ程度）で回転させつつ、該繰り出された光硬化型ＦＲＰシート５０が不用意に捩れたり弛んだりしないようにシート案内部材６で引っ張りを与えて保持させ、同光硬化型ＦＲＰシート５０の繰り出しを案内させる。前記繰り出された光硬化型ＦＲＰシート５０は、図５（ａ）で示す管渠７の側面から、図５（ｂ）に示す管渠７の上面の順に、作業者が若干手で押さえ付ける補助作業を加えることにより補修必要箇所の表面へそのままぴったりと貼り付けて密着させることができる。なお、前記管渠７の角部においては、前記シート案内部材６の突き出し長さを調整し、同シート案内部材６で、管渠７の表面へ貼り付けた光硬化型ＦＲＰシート５０を押さえ付けて、同シート５０の浮き上がりを防止することもできる。
前記補修必要箇所の表面へ貼り付けた光硬化型ＦＲＰシート５０を同表面へ密着させる手段として、例えばローラーや木槌で前記光硬化型ＦＲＰシート５０に圧力を加えてコンクリート表面になじませて圧着させる。なお、圧力を加えると共にバイブレータを併用して前記光硬化型ＦＲＰシート５０へ振動を加えるとコンクリート表面へより効果的に密着させることができる。
前記光硬化型ＦＲＰシート５０の貼り付け工程を終端まで遂行した段階で、一旦同光硬化型ＦＲＰシート５０を止めて切断し縁切りを行う。
【００３７】
上記のように、光硬化型ＦＲＰシート５０を補修必要箇所へ繰り出し、該光硬化型ＦＲＰシート５０をシート案内部材６で案内させて貼り付ける工程を終端まで行って同光硬化型ＦＲＰシート５０を切断して縁切りを行い、対面する箇所への貼り付けを終了すると、走行架台２を固定したままの状態で、シートロール支持台３を主軸２０の長手方向へ１ピッチ分移動させて次順の補修必要箇所へ移動を行い（例えば図２の破線を参照）、その位置でも前記同様に光硬化型ＦＲＰシート５０を補修必要箇所の表面へ貼り付けて密着させる工程を主軸２０の長さ範囲内で繰り返す。
前記主軸２０の長さ範囲を超える場合には、走行架台２の固定部材２５を後退させて同走行架台２の固定状態を解除し、作業者が自ら走行架台２を次順の施工場所へ移動させて補修、補強作業を進める。なお、次順の補修必要箇所を補修、補強する場合、後で貼り付ける光硬化型ＦＲＰシート５０は先行して貼り付けた光硬化型ＦＲＰシート５０へラップさせて貼り付ける。
【００３８】
上記補修必要箇所へ貼り付けた密着させた光硬化型ＦＲＰシート５０の位置へ、紫外線照射装置を設置し（図示は省略）、前記紫外線照射装置を使用して前記貼り付けた光効果型ＦＲＰシート５０へ紫外線を照射すると、該光硬化型ＦＲＰシート５０は即座に硬化して管渠７の表面へ接着させることができる。なお、前記光硬化型ＦＲＰシート５０が硬化した後、表面側の被覆フィルムを取り剥がす必要がある。
【００３９】
したがって、本発明に係るコンクリート構造物の補修、補強方法は、光硬化型ＦＲＰシートロール５を支える作業者や光硬化型ＦＲＰシート５０に引っ張りを与えて支持する作業者等が不要であり、コンクリート構造物７の補修必要箇所へ光硬化型ＦＲＰシート５０を貼り付けて接着する一連の作業を少ない作業者、特には１人の作業者であっても容易且つ迅速に行うことができる。
また、この補修、補強作業用補助装置１を使用すると、上記したように、光硬化型ＦＲＰシート５０を補修必要箇所の表面へ向かって略平行に相対峙するように繰り出し、該光硬化型ＦＲＰシート５０が不用意に捩れたり弛んだりしないように、シート案内部材６で支持させつつ同シート５０の繰り出しを案内し、後は作業者が若干手で押さえ付ける補助作業を加えて光硬化型ＦＲＰシート５０を補修必要箇所の表面へそのままぴったりと貼り付けるだけなので、作業者の技術力が熟練である否かを問わず、一定の品質と施工精度を期待できる。
【００４０】
以上に本発明を図示した実施例に基づいて説明したが、本発明は上記実施例に限定されるものではない。本発明の要旨、及び技術思想を逸脱しない範囲で、当業者が必要に応じて行う設計変更や応用、変形として種々な態様で実施できることを、ここに念のため申し添える。
【符号の説明】
【００４１】
１      補修・補強作業用補助装置
２      走行架台
２０    主軸
２１    台車
２２    支持部材
２３    継手部材
３      シートロール支持台
３４    回転装置（モーター）
４      シートロール支持部材
４０    軸受本体部
４１    軸部
５      光硬化型繊維強化樹脂シートロール
５０    光硬化型繊維強化樹脂シート
６      シート案内部材
７      コンクリート構造物
【図１】
2013221253.tif 000003
【図２】
2013221253.tif 000004
【図３】
2013221253.tif 000005
【図４】
2013221253.tif 000006
【図５】
2013221253.tif 000007